(57)【要約】【課題】吸収性物品を着用したときの風合いを損ねることなく、軟便等の排泄物の捕集性を向上させて、着用者の肌トラブルの発生を低減させること。【解決手段】表面シート２、吸収体４、及び該表面シート２と該吸収体４との間に配置された中間シート５を備えたおむつ１である。表面シート２には、該表面シート２を貫通する開孔２ｈが該表面シート２の平面方向に分散して複数配置され、表面シート２と中間シート５とが隣接している。中間シート５の肌対向面の平均摩擦係数ＭＩＵが０．２５以下であり且つ摩擦係数の平均偏差ＭＭＤが０．０１以下である。中間シート５の肌対向面の平均摩擦係数ＭＩＵが、該表面シート２の肌対向面の平均摩擦係数ＭＩＵの９０％以上１１０％以下である。中間シート５の肌対向面の摩擦係数の平均偏差ＭＭＤが、表面シート２の肌対向面の摩擦係数の平均偏差ＭＭＤの９０％以上１１０％以下である。【選択図】図１
2019097607.tif 000002
【特許請求の範囲】
【請求項１】
表面シート、吸収体、及び該表面シートと該吸収体との間に配置された中間シートを備えた吸収性物品であって、
前記表面シートには、該表面シートを貫通する開孔が該表面シートの平面方向に分散して配置されており、
前記表面シートと前記中間シートとが隣接して配されており、
前記中間シートの肌対向面の平均摩擦係数ＭＩＵが０．２５以下であり、且つ該肌対向面の摩擦係数の平均偏差ＭＭＤが０．０１以下であり、
前記中間シートの肌対向面の平均摩擦係数ＭＩＵが、前記表面シートの肌対向面の平均摩擦係数ＭＩＵの９０％以上１１０％以下であり、
前記中間シートの肌対向面の摩擦係数の平均偏差ＭＭＤが、前記表面シートの肌対向面の摩擦係数の平均偏差ＭＭＤの９０％以上１１０％以下である、吸収性物品。
【請求項２】
前記表面シートの微小荷重時の圧縮特性値が７（ｇｆ／ｃｍ2）／ｍｍ以下であり、前記中間シートの微小荷重時の圧縮特性値が７（ｇｆ／ｃｍ2）／ｍｍ以下である、請求項１に記載の吸収性物品。
【請求項３】
前記中間シートの非肌対向面側の繊維の繊維密度が、該中間シートの肌対向面側の繊維の繊維密度よりも高い、請求項１又は２に記載の吸収性物品。
【請求項４】
前記中間シートの肌対向面を構成する繊維の接触角が、該中間シートの非肌対向面を構成する繊維の接触角よりも高い、請求項１〜３の何れか１項に記載の吸収性物品。
【請求項５】
前記表面シート及び前記中間シートは、合成繊維から構成された不織布であり、
該中間シートの坪量が前記表面シートの坪量より高い、請求項１〜４の何れか１項に記載の吸収性物品。
【請求項６】
前記表面シートの前記開孔は、着用者の便排泄部に対向配置される便排泄部対向部に設けられている、請求項１〜５の何れか１項に記載の吸収性物品。
【請求項７】
前記表面シートがエアスルー不織布からなる、請求項１〜６の何れか１項に記載の吸収性物品。
【発明の詳細な説明】
【技術分野】
【０００１】
本発明は、使い捨ておむつ等の吸収性物品に関する。
【背景技術】
【０００２】
従来、吸収性物品の技術課題の１つとして、軟便の吸収性能の向上がある。軟便は、特に低月齢児に多く見られる排泄物であり、通常の便に比して、水分量が多く流動性が高い。その為、おむつの軟便吸収性能が不十分であると、軟便がおむつ内部に吸収されずに表面シートをつたって外部に漏れだすおそれがある。また、着用者の肌が軟便に接触する時間が長くなると肌のかぶれを引き起こすおそれがある。
【０００３】
このような軟便等の排泄物の吸収性能を向上させる技術に関し、本出願人は、先に、平面視波形をなす波形突出部が並列に配された不織布を提案した（特許文献１）。また、特許文献２には、断続的な弓状部分を有する三次元ウエブを、表面シートと吸収体との間に配置して、軟便等の排泄物の吸収性能を向上させた吸収性物品が記載されている。
【０００４】
これとは別の技術として、本出願人は、先に、表面シートと吸収体との間に、高密度層及び低密度層の２層構造からなる中間シートを配置して、フィット性の低下を起こり難くし、蒸れ難い吸収性物品提案した（特許文献３）。
【先行技術文献】
【特許文献】
【０００５】
【特許文献１】特開２０１４−５５６５号公報
【特許文献２】特開２０１０−１８８１３６号公報
【特許文献３】特開２００８−１１３８５７号公報
【発明の概要】
【発明が解決しようとする課題】
【０００６】
特許文献１には、波形突出部が並列に配された不織布を、表面シートと吸収体との間に配置する中間シートに用いることに関して、何ら記載されていない。
特許文献２〜３には、表面シートと吸収体との間に中間シートを配置することは記載されているが、特許文献２〜３に記載の吸収性物品の何れにおいても、中間シートの肌対向面側の風合いに関して何ら考慮されていない。中間シートへの排泄物の移行性を向上させるために表面シートに開孔を設けた場合に、開孔から露出した中間シートが着用者の皮膚を刺激して肌の赤み等の肌トラブルを発生させることが懸念される。
【０００７】
したがって本発明は、吸収性物品を着用したときの肌対向面側の風合いを損ねることなく、軟便等の排泄物の捕集性を向上させて、着用者の肌トラブルの発生を低減させる吸収性物品を提供することを目的とする。
【課題を解決するための手段】
【０００８】
本発明は、表面シート、吸収体、及び該表面シートと該吸収体との間に配置された中間シートを備えた吸収性物品であって、前記表面シートには、該表面シートを貫通する開孔が該表面シートの平面方向に分散して配置されており、前記表面シートと前記中間シートとが隣接して配されており、前記中間シートの肌対向面の平均摩擦係数ＭＩＵが０．２５以下であり、且つ該肌対向面の摩擦係数の平均偏差ＭＭＤが０．０１以下であり、前記中間シートの肌対向面の平均摩擦係数ＭＩＵが、前記表面シートの肌対向面の平均摩擦係数ＭＩＵの９０％以上１１０％以下であり、前記中間シートの肌対向面の摩擦係数の平均偏差ＭＭＤが、前記表面シートの肌対向面の摩擦係数の平均偏差ＭＭＤの９０％以上１１０％以下である、吸収性物品を提供するものである。
【発明の効果】
【０００９】
本発明の吸収性物品によれば、該吸収性物品を着用したときの風合いを損ねることなく、軟便等の排泄物の捕集性を向上させて、肌トラブルの発生を低減できる。
【図面の簡単な説明】
【００１０】
【図１】図１は、本発明の吸収性物品の一実施形態である使い捨ておむつの肌対向面即ち表面シート側を模式的に示す平面図であり、各部の弾性部材を伸長させて平面状に拡げた展開状態における平面図である。
【図２】図２は、図１のＩＩ−ＩＩ線断面を模式的に示す横断面図である。
【図３】図３は、図２に示す横断面図の表面シート、中間シート及び吸収体を模式的に示す拡大横断面図である。
【発明を実施するための形態】
【００１１】
以下、本発明の吸収性物品をその好ましい実施形態に基づき図面を参照して説明する。図１及び図２には、本発明の吸収性物品の一実施形態である使い捨ておむつ１が示されている。おむつ１は、着用時に着用者の腹側に配される腹側部１Ｆ、背側に配される背側部１Ｒ及びそれらの間に位置する股下部１Ｍを有すると共に、腹側部１Ｆから股下部１Ｍを介して背側部１Ｒに延び着用者の前後方向に相当する縦方向Ｘと、これに直交する横方向Ｙとを有する。股下部１Ｍは、おむつ１を縦方向Ｘに２等分したとき、２等分線ＣＬを中心におむつ１の全長の２５〜６０％の範囲であり、好ましくは３０〜５０％の範囲である。また股下部１Ｍは、おむつ１の着用時に着用者の尿排泄部及び便排泄部（肛門）の双方に対向配置される排泄部対向部を有しており、該排泄部対向部は通常、おむつ１の縦方向Ｘの中央部又はその近傍に位置している。
【００１２】
おむつ１は、図１及び図２に示すように、着用時に着用者の肌と接触し得る液透過性の表面シート２、液不透過性ないし液難透過性の裏面シート３、両シート２，３間に配された吸収体４、及び該表面シート２と該吸収体４との間に配置された中間シート５を備えている。おむつ１は、図１に示す如き平面視において、股下部１Ｍに位置する縦方向Ｘの略中央部が内方に括れ且つ一方向即ち縦方向Ｘに長い、縦長の砂時計状をなしている。
【００１３】
尚、本明細書において、「肌対向面」は、吸収性物品又はその構成部材（例えば表面シート２）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側（着衣側）に向けられる面、即ち相対的に着用者の肌から遠い側である。尚、ここでいう「着用時」は、通常の適正な着用位置、即ち当該吸収性物品の正しい着用位置が維持された状態を意味し、吸収性物品が該着用位置からずれた状態にある場合は含まない。
【００１４】
表面シート２及び裏面シート３は、それぞれ、吸収体４よりも大きな寸法を有し、吸収体４の外縁から外方に延出している。表面シート２については、後に詳しく説明する。裏面シート３は、図１に示す如き展開且つ伸張状態のおむつ１の外形を形成している。裏面シート３としては、この種の吸収性物品に従来用いられている各種のものを特に制限なく用いることができる。裏面シート３としては、例えば、樹脂フィルムや、樹脂フィルムと不織布等とのラミネート等を用いることができる。裏面シート３には、例えば、液不透過性のフィルムシート単独の形態と、該フィルムシートの非肌対向面、即ち外表面側に外装シートを積層配置した形態とがあり、該外装シートは例えば不織布である。
【００１５】
吸収体４は、図１に示す如き平面視において縦方向Ｘに長い形状をなし、腹側部１Ｆから背側部１Ｒにわたって延在している。吸収体４は、吸収性材料を含む液保持性の吸収性コア４０と、該吸収性コア４０の肌対向面及び非肌対向面を被覆するコアラップシート４１とを含んで構成されている。吸収性コア４０とコアラップシート４１との間は、ホットメルト型接着剤等の公知の接合手段により接合されている。
【００１６】
吸収性コア４０は単層構造であり、図１に示す如き平面視において、長手方向即ち縦方向Ｘの略中央部が内方に括れた砂時計状をなしている。吸収性コア４０は吸収性材料を含むコア形成材料が積繊されてなる。吸収性材料としては、この種の吸収性コアの形成材料として通常用いられるものを特に制限なく用いることができ、例えば、木材パルプ、親水化剤により処理された合繊繊維等の親水性繊維や吸水性ポリマー粒子が挙げられる。即ち、吸収性コア４０は、親水性繊維の積繊体、あるいは該積繊体に吸水性ポリマー粒子を担持させたものであり得る。コアラップシート４１としては、透水性のシート材を用いることができ、例えば、紙、不織布等を用いることができる。
【００１７】
中間シート５は、吸収体４とは別体で、表面シート２と隣接して配されており、サブレイヤーやセカンドシートとも呼ばれるシートである。中間シート５は、図１に示す如き平面視において矩形形状をなしている。中間シート５は、その長手方向を縦方向Ｘに一致させて、吸収体４の肌対向面の３０〜７０％を被覆していることが好ましく、４０〜６０％を被覆していることが更に好ましい。中間シート５は、おむつ１では、股下部１Ｍに位置するように配されている。中間シート５の横方向Ｙの長さ（幅）は、吸収体４のそれと同じか、又はそれよりも短い。股下部１Ｍは、上述したように、排泄部対向部を有しており、中間シート５は、少なくとも排泄部対向部に位置するように配されることが好ましい。中間シート５と表面シート２及び吸収体４（コアラップシート４１）それぞれとの間は、接着剤等の公知の接合手段によって全面的に又は部分的に接合されている。尚、中間シート５については、後に詳しく説明する。
【００１８】
表面シート２の縦方向Ｘに沿う左右両側には、それぞれサイドシート６が配置されている。サイドシート６は、縦方向Ｘに沿う内側縁部と、該内側縁部よりも横方向Ｙの外方に位置して縦方向Ｘに沿う外側縁部とを有し、図１に示す如き平面視において、該内側縁部は吸収体４と重なり、該外側縁部は、図２に示すように、吸収体４の縦方向Ｘに沿う側縁から横方向Ｙの外方に延出し裏面シート３と接合されている。着用者の脚周りに配される左右のレッグ部におけるサイドシート６と裏面シート３との間には、糸状の弾性部材６０縦方向Ｘに沿って伸長状態で固定されており、これにより、おむつ１の着用時におけるレッグ部には、弾性部材６０の収縮により一対のレッグギャザーが形成される。また、サイドシート６の内側縁部には、糸状の弾性部材６１が縦方向Ｘに沿って伸長状態で固定されており、これにより、おむつ１の着用時には弾性部材６１の収縮により少なくとも股下部１Ｍにおいて、サイドシート６は裏面シート３との接合部を起点として該内側縁部側が着用者の肌側に向かって起立し、防漏カフを形成する。この防漏カフは、尿等の排泄液の横方向Ｙの外方への流出いわゆる横漏れを防止し得る。表面シート２、裏面シート３、吸収体４、中間シート５、サイドシート６及び弾性部材６０，６１は、ホットメルト型接着剤等の公知の接合手段により互いに接合されている。
【００１９】
おむつ１はいわゆる展開型の使い捨ておむつであり、図１に示すように、おむつ１の背側部１Ｒの縦方向Ｘに沿う両側縁部には、一対のファスニングテープ７，７が設けられている。ファスニングテープ７には、機械的面ファスナーのオス部材からなる図示しない止着部が取り付けられている。また、おむつ１の腹側部１Ｆの非肌対向面には、機械的面ファスナーのメス部材からなる被止着領域８が形成されている。被止着領域８は、腹側部１Ｆの非肌対向面を形成する裏面シート３の非肌対向面に、機械的面ファスナーのメス部材を公知の接合手段、例えば接着剤やヒートシール等で接合固定して形成されており、ファスニングテープ７の前記止着部を着脱自在に止着可能になされている。
【００２０】
次に、上述した表面シート２及び中間シート５について、図１及び図２に加え、図３を参照しながら詳述する。図３には、おむつ１の表面シート２、中間シート５及び吸収体４の横断面図が示されている。
【００２１】
表面シート２は、図１に示すように、該表面シート２を貫通する開孔２ｈを複数有している。開孔２ｈは、表面シート２の全域に設けられていてもよいが、おむつ１では、表面シート２の股下部１Ｍに設けられている。このように表面シート２には開孔２ｈが設けられており、表面シート２に隣接して中間シート５が配されているので、おむつ１では、開孔２ｈを通して中間シート５の肌対向面が見えるようになっている。股下部１Ｍは、上述したように、排泄部対向部を有しており、おむつ１では、開孔２ｈは、排泄部対向部に位置するように設けられている。排泄部対向部は、上述したように、着用者の便排泄部に対向配置される便排泄部対向部２Ｒを該排泄部対向部の背側部１Ｒ側に有しており、おむつ１では、開孔２ｈは、表面シート２において、便排泄部対向部２Ｒのみに設けられることが好ましい。便排泄部対向部２Ｒのみに開孔２ｈを設けることで、例えば、軟便等の排泄物を該開孔２ｈから効率的に捕集でき、捕集した排泄物の便排泄部対向部２Ｒ以外の部位からの液戻りを抑制することができる。
【００２２】
開孔２ｈは、表面シート２の平面方向に分散していればよいが、おむつ１では該開孔２ｈが該表面シート２の平面方向に均等に分散している。具体的には、複数の開孔２ｈが一定の間隔で横方向Ｙに沿って直列した開孔列が、縦方向Ｘに一定の間隔を空けて配されている。そして、おむつ１では、一の開孔列を構成し横方向Ｙに隣り合う開孔２ｈ，２ｈどうしの間に、該一の開孔列と隣り合う他の開孔列を構成する開孔２ｈが位置するように、開孔２ｈが千鳥配列に配置されている。
【００２３】
表面シート２を平面視して、股下部１Ｍにおける開孔２ｈの面積率（（開孔２ｈの面積の総和／股下部１Ｍの面積）×１００）としては、軟便等の排泄物の吸収性能を向上させる観点から、５％以上が好ましく、１０％以上がより好ましく、そして、４０％以下が好ましく、３０％以下がより好ましく、具体的には、５％以上４０％以下が好ましく、１０％以上３０％以下がより好ましい。
【００２４】
表面シート２を平面視して、股下部１Ｍに形成される開孔２ｈの１個あたりの面積としては、同様の観点から、０．２ｍｍ2以上が好ましく、５ｍｍ2以上がより好ましく、３５ｍｍ2以下が好ましく、２０ｍｍ2以下がより好ましく、０．２ｍｍ2以上３５ｍｍ2以下が好ましく、５ｍｍ2以上２０ｍｍ2以下がより好ましい。
【００２５】
開孔２ｈは、その形状に特に限定はないが、おむつ１では、表面シート２を平面視して略円形に形成されている。略円形の開孔２ｈの直径としては、同様の観点から、０．５ｍｍ以上が好ましく、２．５ｍｍ以上がより好ましく、７ｍｍ以下が好ましく、５ｍｍ以下がより好ましく、０．５ｍｍ以上７ｍｍ以下が好ましく、２．５ｍｍ以上５ｍｍ以下がより好ましい。
【００２６】
表面シート２の坪量は、２０ｇ／ｍ2以上が好ましく、３０ｇ／ｍ2以上がより好ましく、６０ｇ／ｍ2以下が好ましく、５０ｇ／ｍ2以下がより好ましく、２０ｇ／ｍ2以上６０ｇ／ｍ2以下が好ましく、３０ｇ／ｍ2以上５０ｇ／ｍ2以下がより好ましい。表面シート２の坪量は、開孔２ｈを除いた状態で測定した値である。
【００２７】
表面シート２は、該表面シート２の肌対向面に十分なすべり易さを付与させる等の観点から、肌対向面の平均摩擦係数ＭＩＵが、０．２５以下であることが好ましく、０．２以下であることがより好ましい。表面シート２の肌対向面の平均摩擦係数ＭＩＵの下限値としては、０に近ければ近いほどすべり易く好ましいが、製造上の観点からは０．０５程度である。表面シート２の肌対向面の平均摩擦係数ＭＩＵは、以下の測定方法によって測定する。
【００２８】
表面シート２は、該表面シート２の肌対向面に十分ななめらかさを付与させる等の観点から、肌対向面の摩擦係数の平均偏差ＭＭＤが０．０１以下であることが好ましく、０．００８以下であることがより好ましい。表面シート２の摩擦係数の平均偏差ＭＭＤの下限値は、０に近ければ近いほどざらつきが無くなめらかであるが、製造上の観点からは０．００３程度である。表面シート２の摩擦係数の平均偏差ＭＭＤは、以下の測定方法によって測定する。
【００２９】
〔平均摩擦係数ＭＩＵ及び摩擦係数の平均偏差ＭＭＤの測定方法〕
ＫＥＳ−ＦＢ４表面試験機（カトーテック株式会社製）を用い、表面シート２を含む製品試験片上に接触子により５ｋＰａ（５０ｇｆ／ｃｍ2）の荷重を加えた状態下に、その接触子を０．１ｃｍ／ｓｅｃの一定速度で水平方向に３ｃｍ移動させる。移動領域の摩擦係数及び摩擦係数の平均偏差を縦方向に３点計測し、その平均値を表面シート２の平均摩擦係数ＭＩＵ及び摩擦係数の平均偏差ＭＭＤとする。表面シート２の平均摩擦係数ＭＩＵ及び摩擦係数の平均偏差ＭＭＤの測定は、表面シート２が吸収性物品に組み込まれた状態で測定する。上記の製品試験片は、吸収性物品における内部に吸収体４及び中間シート５が存在する吸収部分を表面シート２及び裏面シート３と切り出して試験片とする。表面シート２の平均摩擦係数ＭＩＵ及び摩擦係数の平均偏差ＭＭＤは、該表面シート２の肌対向面に接触子を当てて測定する。
【００３０】
また表面シート２は、該表面シート２に十分なふんわり感を付与して風合いを向上させる等の観点から、その微小荷重時の圧縮特性値が、７．０（（ｇｆ／ｃｍ2）／ｍｍ）以下であることが好ましく、５．０（（ｇｆ／ｃｍ2）／ｍ）以下であることがより好ましい。尚、表面シート２の微小荷重時の圧縮特性値の下限としては、０に近ければ近いほど好ましいが、製造上の観点からは、１．０（（ｇｆ／ｃｍ2）／ｍ）程度である。尚、本明細書では、２２℃６５％ＲＨ環境下にて、微小荷重時の圧縮特性値を、肌触りを示す特性値として定義している。表面シート２の微小荷重時の圧縮特性値は、以下の測定方法によって測定する。
【００３１】
〔微小荷重時の圧縮特性値の測定方法〕
微小荷重時の圧縮特性値の算出の元となるデータの測定は、カトーテック株式会社製のＫＥＳ  ＦＢ３−ＡＵＴＯ−Ａ（商品名）を用い、２２℃６５％ＲＨ環境下にて測定を行う。具体的には、表面シート２を２０ｃｍ×２０ｃｍに３枚カットして測定サンプルを準備する。次に、そのうちの１枚の測定サンプルを試験台に設置する。次に、面積２ｃｍ2の円形平面の鋼板間で圧縮する。圧縮速度２０μｍ／ｓｅｃ、最大圧縮荷重１０ｇｆ／ｃｍ2、回復過程も同一速度で測定する。このとき、鋼板間の変位量をｘ（ｍｍ）とし、荷重をｙ（ｇｆ／ｃｍ2）とし、荷重を検知した点の位置をｘ＝０として圧縮方向に測定する。ｘの値は圧縮されるほど大きくなる。
【００３２】
微小荷重時の圧縮特性値は、測定したデータ（ｘ、ｙ）より、微小荷重時の厚みの変形量を抽出して算出する。具体的には、回復過程ではない一回目の、荷重が０．３０ｇｆ／ｃｍ2から１．００ｇｆ／ｃｍ2の間の荷重とそのときの変形量のデータを抽出し、ｘとｙとの関係について近似直線を最小二乗法により求め、そのときの傾きを上記特性値とする（単位（ｇｆ／ｃｍ2）／ｍｍ）。１枚の測定サンプルで３箇所測定する。３枚のサンプル合計９箇所の測定を行う。９箇所それぞれの特性値を算出して、それらの平均値をその不織布の微小荷重時の圧縮特性値とする。
【００３３】
表面シート２は、おむつ１では、その全体が、合成繊維から形成された不織布により構成されている。表面シート２の繊維の繊維密度（本／ｍｍ2）は、着用者が排泄した軟便をスムーズに中間シート５に引き込ませる観点から、２０本／ｍｍ2以上が好ましく、３０本／ｍｍ2以上がより好ましく、１００本／ｍｍ2以下が好ましく、９０本／ｍｍ2以下がより好ましく、２０本／ｍｍ2以上１００本／ｍｍ2以下が好ましく、３０本／ｍｍ2以上９０本／ｍｍ2以下がより好ましい。表面シート２の繊維の繊維密度は、以下の測定方法により測定する。
【００３４】
〔繊維密度の測定方法〕
表面シート２の切断面を、走査電子顕微鏡を用いて拡大観察（繊維断面が３０〜６０本程度計測できる倍率（１５０〜５００倍）に調整する。次に、一定面積当たり（０．５ｍｍ2程度）の前記切断面によって切断されている繊維の断面数を測定し、繊維断面数を測定した視野部分の面積を求める。次に、１ｍｍ2当たりの繊維の断面数に換算し、これを繊維密度（本／ｍｍ2）とする。測定は３箇所行い、平均してそのサンプルの繊維密度とする。走査電子顕微鏡には、例えば、日本電子（株）社製のＪＣＭ−５１００（商品名）を用いることができる。
【００３５】
表面シート２は、尿等の排泄物の中間シート５側への引き込みを向上させ且つ肌対向面での該排泄物の液残りを低減させる観点から、肌対向面を構成する繊維の接触角が非肌対向面を構成する繊維の接触角よりも高いことが好ましい。具体的には、表面シート２の肌対向面を構成する繊維の接触角は、８０度以上が好ましく、８２度以上がより好ましく、８７度以下が好ましく、８５度以下がより好ましく、８０度以上８７度以下が好ましく、８２度以上８５度以下がより好ましい。表面シート２の非肌対向面を構成する繊維の接触角は、７５度以上が好ましく、７７度以上がより好ましく、８２度以下が好ましく、８０度以下がより好ましく、７５度以上８２度以下が好ましく、７７度以上８０度以下がより好ましい。
【００３６】
〔繊維の接触角の測定方法〕
接触角の測定には、例えば協和界面科学株式会社製の接触角計ＭＣＡ−Ｊを用いる。具体的には、構成する繊維の表面に、イオン交換水を滴下（約２０ピコリットル）した後、直ちに前記接触角計を用いて接触角度の測定を行う。測定は、構成する繊維の異なる５箇所以上の箇所で行い、それらの平均値を接触角とする。尚、測定環境温度は２０℃とする。
【００３７】
上述のような物性を有する表面シート２としては、例えば、ポリエチレン、ポリエチレンテレフタレート、ポリプロピレン等の熱融着性の合成樹脂を含む、カード法により製造された不織布、エアスルー不織布、スパンボンド不織布、メルトブローン不織布、スパンレース不織布及びニードルパンチ不織布等の種々の不織布；開口手段によって液透過可能とされたフィルム等を用いることができる。表面シート２としては、肌対向面の風合いを損ねることなく軟便をより透過させやすくする等の観点から、エアスルー不織布又はスパンボンド不織布を用いることが好ましく、エアスルー不織布を用いることがより好ましい。
【００３８】
次に、中間シート５は、１つの部材から構成されていてもよく、２つ以上の部材が接着状態で又は未接着状態で積層されて形成されていてもよい。中間シート５を２つ以上の部材から形成すると、部材毎に物性を容易に異ならせることができ、全体として所望の特性を有する中間シート５を容易に構成することができる。
【００３９】
中間シート５は、表面シート２の開孔２ｈを通して見える中間シート５の肌対向面に、該表面シート２と同様の十分なすべり易さを付与する等の観点から、上述した表面シート２の肌対向面の平均摩擦係数ＭＩＵに対する該中間シート５の肌対向面の平均摩擦係数ＭＩＵの割合（（中間シート５の肌対向面の平均摩擦係数ＭＩＵ／表面シート２の肌対向面の平均摩擦係数ＭＩＵ）×１００）が、９０％以上であることが好ましく、９５％以上であることがより好ましく、そして、１１０％以下であることが好ましく、１０５％以下であることがより好ましく、具体的には、９０％以上１１０％以下であることが好ましく、９５％以上１０５％以下であることがより好ましい。中間シート５の肌対向面の平均摩擦係数ＭＩＵは、上述した表面シート２の肌対向面の平均摩擦係数ＭＩＵの測定方法と同様の方法によって測定する。
【００４０】
中間シート５は、表面シート２の開孔２ｈを通して見える中間シート５の肌対向面に、該表面シート２と同様の十分なすべり易さを付与する等の観点から、肌対向面の平均摩擦係数ＭＩＵが、少なくとも開孔２ｈから露出する部分において、０．２５以下であることが好ましく、０．２以下であることがより好ましい。肌対向面の平均摩擦係数ＭＩＵの下限値としては、０に近ければ近いほどすべり易く好ましいが、製造上の観点からは０．０５程度である。
【００４１】
また中間シート５は、表面シート２の開孔２ｈを通して見える中間シート５の肌対向面に、該表面シート２と同様の十分ななめらかさを付与する等の観点から、上述した表面シート２の肌対向面の摩擦係数の平均偏差ＭＭＤに対する該中間シート５の肌対向面の摩擦係数の平均偏差ＭＭＤの割合（（中間シート５の肌対向面の摩擦係数の平均偏差ＭＭＤ／表面シート２の肌対向面の摩擦係数の平均偏差ＭＭＤ）×１００）が、９０％以上であることが好ましく、９５％以上であることがより好ましく、１１０％以下であることが好ましく、１０５％以下であることがより好ましく、９０％以上１１０％以下であることが好ましく、９５％以上１０５％以下であることがより好ましい。中間シート５の肌対向面の摩擦係数の平均偏差ＭＭＤは、上述した表面シート２の肌対向面の摩擦係数の平均偏差ＭＭＤの測定方法と同様の方法によって測定する。
【００４２】
中間シート５は、表面シート２の開孔２ｈを通して見える中間シート５の肌対向面に、該表面シート２と同様の十分ななめらかさを付与する等の観点から、肌対向面の摩擦係数の平均偏差ＭＭＤが、少なくとも開孔２ｈから露出する部分において、０．０１以下であることが好ましく、０．００８以下であることが好ましい。中間シート５の肌対向面の摩擦係数の平均偏差ＭＭＤの下限値は、０に近ければ近いほどざらつきが無くなめらかであるが、製造上の観点からは０．００３程度である。
【００４３】
また中間シート５は、該中間シート５に十分なふんわり感を付与して風合いを向上させる等の観点から、その微小荷重時の圧縮特性値が、７．０（（ｇｆ／ｃｍ2）／ｍｍ）以下であることが好ましく、５．０（（ｇｆ／ｃｍ2）／ｍｍ）以下であることがより好ましい。尚、中間シート５の微小荷重時の圧縮特性値の下限としては、０に近ければ近いほど好ましいが、製造上の観点からは、１．０（（ｇｆ／ｃｍ2）／ｍｍ）程度である。中間シート５の微小荷重時の圧縮特性値は、上述した表面シート２の圧縮特性値の測定方法と同様の方法によって測定する。
【００４４】
中間シート５は、おむつ１では、その全体が、合成繊維から形成された不織布により構成されている。中間シート５は、おむつ１では、図３に示すように、高密度層５１及び高密度層５１よりも繊維密度の低い低密度層５２を有する２層構造となっている。高密度層５１は非肌対向面側に位置し、低密度層５２は肌対向面側に位置している。即ち、中間シート５は、非肌対向面側の繊維の繊維密度が肌対向面側の繊維の繊維密度よりも高くなっている。中間シート５の非肌対向面側の繊維の繊維密度を肌対向面側の繊維の繊維密度よりも高くすることで、表面シート２から移行した軟便を繊維の毛管力でスムーズに吸収体４に引き込ませることができる。
【００４５】
中間シート５の高密度層５１を形成する繊維の繊維密度（本／ｍｍ2）と、低密度層５２を形成する繊維の繊維密度（本／ｍｍ2）との差としては、表面シート２から移行した軟便をスムーズに吸収体４に引き込ませる等の観点から、１５０本／ｍｍ2以上であることが好ましく、２００本／ｍｍ2以上であることがより好ましく、４５０本／ｍｍ2以下であることが好ましく、４００本／ｍｍ2以下であることがより好ましく、１５０本／ｍｍ2以上４５０本／ｍｍ2以下であることが好ましく、２００本／ｍｍ2以上４００本／ｍｍ2以下であることがより好ましい。中間シート５の繊維の繊維密度は、上述した表面シート２の繊維の繊維密度の測定方法と同様の方法によって測定する。
【００４６】
高密度層５１を形成する繊維の繊維密度（本／ｍｍ2）は、同様の観点から、２５０本／ｍｍ2以上が好ましく、３００本／ｍｍ2以上がより好ましく、５００本／ｍｍ2以下が好ましく、４５０本／ｍｍ2以下がより好ましく、２５０本／ｍｍ2以上５００本／ｍｍ2以下が好ましく、３００本／ｍｍ2以上４５０本／ｍｍ2以下がより好ましい。
【００４７】
低密度層５２を形成する繊維の繊維密度（本／ｍｍ2）は、同様の観点から、３０本／ｍｍ2以上が好ましく、５０本／ｍｍ2以上がより好ましく、１３０本／ｍｍ2以下が好ましく、１００本／ｍｍ2以下がより好ましく、３０本／ｍｍ2以上１３０本／ｍｍ2以下が好ましく、５０本／ｍｍ2以上１００本／ｍｍ2以下がより好ましい。
【００４８】
中間シート５の全体の坪量は、荷重時に該中間シート５内部での軟便の横拡散の阻害を低減させる等の観点から、表面シート２の坪量よりも高いことが好ましい。具体的には、中間シート５の全体の坪量と表面シート２の坪量との比（中間シート５の全体の坪量／表面シート２の坪量）は、１．２以上が好ましく、１．５以上がより好ましく、３．０以下が好ましく、２．０以下がより好ましく、１．２以上３．０以下が好ましく、１．５以上２．０以下がより好ましい。更に具体的には、中間シート５の全体の坪量は、３０ｇ／ｍ2以上が好ましく、４０ｇ／ｍ2以上がより好ましく、７０ｇ／ｍ2以下が好ましく、６０ｇ／ｍ2以下がより好ましく、３０ｇ／ｍ2以上７０ｇ／ｍ2以下が好ましく、４０ｇ／ｍ2以上６０ｇ／ｍ2以下がより好ましい。
【００４９】
中間シート５は、軟便等の排泄物の吸収体４側への引き込みを向上させ且つ表面シート２側での該排泄物の液残りを低減させる観点から、肌対向面を構成する繊維の接触角が非肌対向面を構成する繊維の接触角よりも高いことが好ましい。また、同様の観点から、中間シート５の肌対向面を構成する繊維の接触角が表面シート２の非肌対向面を構成する繊維の接触角よりも低いことが好ましい。総じて、おむつ１では、中間シート５の肌対向面を構成する繊維の接触角が中間シート５の非肌対向を構成する繊維の接触角よりも高く、表面シート２の非肌対向面を構成する繊維の接触角が中間シート５の肌対向面を構成する繊維の接触角よりも高く、表面シート２の肌対向面を構成する繊維の接触角が表面シート２の非肌対向面を構成する繊維の接触角よりも高いことが好ましい。
【００５０】
具体的には、中間シート５の肌対向面を構成する繊維の接触角は、６０度以上が好ましく、６３度以上がより好ましく、７５度以下が好ましく、７２度以下がより好ましく、６０度以上７５度以下が好ましく、６３度以上７２度以下がより好ましい。中間シート５の非肌対向面を構成する繊維の接触角は、５５度以上が好ましく、５８度以上がより好ましく、７０度以下が好ましく、６７度以下がより好ましく、５５度以上７０度以下が好ましく、５８度以上６７度以下がより好ましい。中間シート５を構成する繊維の接触角は、上述した表面シート２を構成する繊維の接触角の測定方法と同様の方法によって測定する。
【００５１】
上述のような物性を有する中間シート５としては、例えば、ポリエチレン、ポリエチレンテレフタレート、ポリプロピレン等の熱融着性の合成樹脂を含む、エアスルー不織布、ヒートロール不織布、スパンボンド不織布、スパンボンド（Ｓ）−メルトブローン（Ｍ）−スパンボンド（Ｓ）不織布、ＳＭＭＳ不織布、レジンボンド不織布、ニードルパンチ不織布、スパンレース不織布、エアレイド不織布を用いることができる。中間シートとしては、エアスルー不織布を用いることが好ましい。
【００５２】
上述のような物性を有するエアスルー不織布からなる中間シート５の製造方法としては、例えば、気流にのせた繊維をネット上に落下堆積させることによりウエブを形成し、ネット上のウエブに対して該ネット面側と反対側から高温空気又は高圧水流を貫通させてウエブ結合を行う方法がある。ネットを用いて製造する不織布の特徴として、何れの不織布の、製造時にネットに接触していた（ネット上に配されていた）ネット面と、該ネット面と接触しておらず高温空気や高圧水流が直接当てられた、ネット面とは反対側の面（エアー面）とを有している。ネット面及びエアー面を有する不織布は、エアー面よりもネット面の方が繊維密度が高くなる。そして、得られる不織布のエアー面の平均摩擦係数ＭＩＵ及び摩擦係数の平均偏差ＭＭＤが所望の値となるように、高温空気の温度又は高圧水流の圧力、ウエブの移動速度等を調整する。このようにして高密度層５１及び低密度層５２を有する２層構造の中間シート５を製造することができる。
【００５３】
本実施形態のおむつ１では、表面シート２に該表面シート２を貫通する開孔２ｈが該表面シート２の平面方向に分散して配置されている。その為、表面シート２から吸収体４への軟便等の排泄物の捕集性が向上する。そして、中間シート５の肌対向面の平均摩擦係数ＭＩＵが０．２５以下、摩擦係数の平均偏差ＭＭＤが０．０１以下であり、中間シート５の肌対向面の平均摩擦係数ＭＩＵが、該表面シート２の肌対向面の平均摩擦係数ＭＩＵの９０％以上１１０％以下であり、中間シート５の肌対向面の摩擦係数の平均偏差ＭＭＤが、表面シート２の肌対向面の摩擦係数の平均偏差ＭＭＤの９０％以上１１０％以下である。その為、中間シート５の肌対向面にも表面シート２の肌対向面と同様に十分な風合いが付与されており、おむつ１の着用時に開孔２ｈを通して見える中間シート５が着用者の皮膚を刺激し難く、肌の赤み等の肌トラブルが発生し難い。
【００５４】
以上、本発明の吸収性物品をその好ましい実施形態に基づき説明したが、本発明の吸収性物品は、前記実施形態に制限されることなく、種々の変更が可能である。
例えば、上述したおむつ１は、１層構造の表面シート２を用いているが、２層構造の表面シートであってもよい。２層構造の表面シート２を用いた場合には、該表面シート２の肌対向面側の繊維の繊維密度を該表面シート２の非肌対向面側の繊維の繊維密度よりも低くし、更に、該表面シート２の非肌対向面側の繊維の繊維密度を中間シート５の非肌対向面側の繊維の繊維密度をよりも低くしてもよい。表面シート２及び中間シート５の繊維の繊維密度の構成を上述のようにすることで、着用者が排泄した軟便や尿等の排泄物を繊維の毛管力でより一層スムーズに吸収体４に引き込ませることができる。
【００５５】
また、上述したおむつ１は、表面シート２の開孔２ｈから中間シート５の肌対向面が露出する領域が股下部１Ｍに配されているが、表面シート２の開孔２ｈを有する領域と中間シート５とが重なっていれば、股下部１Ｍ以外であってもよい。
【００５６】
また、本発明の吸収性物品は、上述した展開型の使い捨ておむつに制限されず、人体から排出される体液（尿、軟便、経血等）の吸収に用いられる物品を広く包含し、パンツ型の使い捨ておむつ、生理用ナプキン、生理用ショーツ等も包含される。
【００５７】
上述した実施形態に関し、本発明は更に以下の吸収性物品を開示する。
＜１＞
表面シート、吸収体、及び該表面シートと該吸収体との間に配置された中間シートを備えた吸収性物品であって、前記表面シートには、該表面シートを貫通する開孔が該表面シートの平面方向に分散して配置されており、前記表面シートと前記中間シートとが隣接して配されており、前記中間シートの肌対向面の平均摩擦係数ＭＩＵが０．２５以下であり、且つ該肌対向面の摩擦係数の平均偏差ＭＭＤが０．０１以下であり、前記中間シートの肌対向面の平均摩擦係数ＭＩＵが、前記表面シートの肌対向面の平均摩擦係数ＭＩＵの９０％以上１１０％以下であり、前記中間シートの肌対向面の摩擦係数の平均偏差ＭＭＤが、前記表面シートの肌対向面の摩擦係数の平均偏差ＭＭＤの９０％以上１１０％以下である、吸収性物品。
＜２＞
前記表面シートの微小荷重時の圧縮特性値が７（ｇｆ／ｃｍ2）／ｍｍ以下であり、前記中間シートの微小荷重時の圧縮特性値が７（ｇｆ／ｃｍ2）／ｍｍ以下である、前記＜１＞に記載の吸収性物品。
＜３＞
前記中間シートの非肌対向面側の繊維の繊維密度が、該中間シートの肌対向面側の繊維の繊維密度よりも高い、前記＜１＞又は＜２＞に記載の吸収性物品。
＜４＞
前記中間シートの肌対向面を構成する繊維の接触角が、該中間シートの非肌対向面を構成する繊維の接触角よりも高い、前記＜１＞〜＜３＞の何れか１に記載の吸収性物品。
＜５＞
前記表面シート及び前記中間シートは、合成繊維から構成された不織布であり、該中間シートの坪量が前記表面シートの坪量より高い、前記＜１＞〜＜４＞の何れか１に記載の吸収性物品。
＜６＞
前記表面シートの前記開孔は、着用者の便排泄部に対向配置される便排泄部対向部に設けられている、前記＜１＞〜＜５＞の何れか１に記載の吸収性物品。
＜７＞
前記表面シートがエアスルー不織布からなる、前記＜１＞〜＜６＞の何れか１に記載の吸収性物品。
＜８＞
着用時に着用者の腹側に配される腹側部、背側に配される背側部及びそれらの間に位置する股下部を有すると共に、該腹側部から該股下部を介して該背側部に延び着用者の前後方向に相当する縦方向と、これに直交する横方向とを有し、前記中間シートは、その長手方向を該縦方向に一致させて、前記吸収体の肌対向面の３０〜７０％を被覆している、前記＜１＞〜＜７＞の何れか１に記載の吸収性物品。
＜９＞
着用時に着用者の腹側に配される腹側部、背側に配される背側部及びそれらの間に位置する股下部を有すると共に、該腹側部から該股下部を介して該背側部に延び着用者の前後方向に相当する縦方向と、これに直交する横方向とを有し、前記中間シートは、前記股下部に位置するように配されると共に、該横方向の長さが前記吸収体の該横方向の長さと同じか、又はそれよりも短い、前記＜１＞〜＜８＞の何れか１に記載の吸収性物品。
＜１０＞
前記中間シートは、前記表面シートの肌対向面の平均摩擦係数ＭＩＵに対する前記中間シートの肌対向面の平均摩擦係数ＭＩＵの割合（（該中間シートの肌対向面の平均摩擦係数ＭＩＵ／該表面シートの肌対向面の平均摩擦係数ＭＩＵ）×１００）が、９５％以上であることがより好ましく、そして、１１０％以下であることが好ましく、１０５％以下であることがより好ましい、前記＜１＞〜＜９＞の何れか１に記載の吸収性物品。
＜１１＞
前記中間シートは、肌対向面の平均摩擦係数ＭＩＵが、少なくとも前記開孔から露出する部分において、０．２５以下であることが好ましく、０．２以下であることがより好ましく、肌対向面の平均摩擦係数ＭＩＵの下限値としては、０．０５以上であることが好ましい、前記＜１＞〜＜１０＞の何れか１に記載の吸収性物品。
＜１２＞
前記表面シートの肌対向面の摩擦係数の平均偏差ＭＭＤに対する前記中間シートの肌対向面の摩擦係数の平均偏差ＭＭＤの割合（（該中間シートの肌対向面の摩擦係数の平均偏差ＭＭＤ／該表面シートの肌対向面の摩擦係数の平均偏差ＭＭＤ）×１００）が、９０％以上であることが好ましく、９５％以上であることがより好ましく、１１０％以下であることが好ましく、１０５％以下であることがより好ましい、前記＜１＞〜＜１１＞の何れか１に記載の吸収性物品。
＜１３＞
前記中間シートは、肌対向面の摩擦係数の平均偏差ＭＭＤが、少なくとも前記開孔から露出する部分において、０．０１以下であることが好ましく、０．００８以下であることがより好ましく、肌対向面の摩擦係数の平均偏差ＭＭＤの下限値としては、０．００３以上であることが好ましい、前記＜１＞〜＜１２＞の何れか１に記載の吸収性物品。
＜１４＞
前記中間シートは、その微小荷重時の圧縮特性値が、７．０（（ｇｆ／ｃｍ2）／ｍｍ）以下であることが好ましく、５．０（（ｇｆ／ｃｍ2）／ｍｍ）以下であることがより好ましく、下限としては、１．０（（ｇｆ／ｃｍ2）／ｍｍ）以上であることが好ましい、前記＜１＞〜＜１３＞の何れか１に記載の吸収性物品。
＜１５＞
前記中間シートは、高密度層及び該高密度層よりも繊維密度の低い低密度層を有し、該高密度層を形成する繊維の繊維密度（本／ｍｍ2）と、該低密度層を形成する繊維の繊維密度（本／ｍｍ2）との差は、１５０本／ｍｍ2以上であることが好ましく、２００本／ｍｍ2以上であることがより好ましく、４５０本／ｍｍ2以下であることが好ましく、４００本／ｍｍ2以下であることがより好ましい、前記＜１＞〜＜１４＞の何れか１に記載の吸収性物品。
＜１６＞
前記中間シートは、高密度層及び該高密度層よりも繊維密度の低い低密度層を有し、該高密度層を形成する繊維の繊維密度（本／ｍｍ2）が、２５０本／ｍｍ2以上が好ましく、３００本／ｍｍ2以上がより好ましく、５００本／ｍｍ2以下が好ましく、４５０本／ｍｍ2以下がより好ましい、前記＜１＞〜＜１５＞の何れか１に記載の吸収性物品。
＜１７＞
前記中間シートは、高密度層及び該高密度層よりも繊維密度の低い低密度層を有し、該低密度層を形成する繊維の繊維密度（本／ｍｍ2）は、３０本／ｍｍ2以上が好ましく、５０本／ｍｍ2以上がより好ましく、１３０本／ｍｍ2以下が好ましく、１００本／ｍｍ2以下がより好ましい、前記＜１＞〜＜１６＞の何れか１に記載の吸収性物品。
＜１８＞
前記中間シートの全体の坪量と前記表面シートの坪量との比（該中間シートの全体の坪量／該表面シートの坪量）は、１．２以上が好ましく、１．５以上がより好ましく、３．０以下が好ましく、２．０以下がより好ましい、前記＜１＞〜＜１７＞の何れか１に記載の吸収性物品。
＜１９＞
前記中間シートの肌対向面を構成する繊維の接触角は、６０度以上が好ましく、６３度以上がより好ましく、７５度以下が好ましく、７２度以下がより好ましく、該中間シート５の非肌対向面を構成する繊維の接触角は、５５度以上が好ましく、５８度以上がより好ましく、７０度以下が好ましく、６７度以下がより好ましい、前記＜１＞〜＜１８＞の何れか１に記載の吸収性物品。
＜２０＞
前記開孔は、前記表面シートにおいて、着用者の便排泄部に対向配置される便排泄部対向部のみに設けられることが好ましい、前記＜１＞〜＜１９＞の何れか１に記載の吸収性物品。
＜２１＞
着用時に着用者の腹側に配される腹側部、背側に配される背側部及びそれらの間に位置する股下部を有すると共に、該腹側部から該股下部を介して該背側部に延び着用者の前後方向に相当する縦方向と、これに直交する横方向とを有し、複数の前記開孔が一定の間隔で該横方向に沿って直列した開孔列が、該縦方向に一定の間隔を空けて配されている、前記＜１＞〜＜２０＞の何れか１に記載の吸収性物品。
＜２２＞
一の開孔列を構成し前記横方向に隣り合う前記開孔どうしの間に、該一の開孔列と隣り合う他の開孔列を構成する該開孔が位置するように、該開孔が千鳥配列に配置されている、前記＜２１＞に記載の吸収性物品。
＜２３＞
着用時に着用者の腹側に配される腹側部、背側に配される背側部及びそれらの間に位置する股下部を有し、前記表面シートを平面視して、該股下部における前記開孔の面積率（（該開孔の面積の総和／該股下部の面積）×１００）は、５％以上が好ましく、１０％以上がより好ましく、そして、４０％以下が好ましく、３０％以下がより好ましい、前記＜１＞〜＜２２＞の何れか１に記載の吸収性物品。
＜２４＞
着用時に着用者の腹側に配される腹側部、背側に配される背側部及びそれらの間に位置する股下部を有し、前記表面シートを平面視して、該股下部に形成される前記開孔の１個あたりの面積は、０．２ｍｍ2以上が好ましく、５ｍｍ2以上がより好ましく、３５ｍｍ2以下が好ましく、２０ｍｍ2以下がより好ましい、前記＜１＞〜＜２３＞の何れか１に記載の吸収性物品。
＜２５＞
前記開孔は略円形であり、略円形の該開孔の直径は、０．５ｍｍ以上が好ましく、２．５ｍｍ以上がより好ましく、７ｍｍ以下が好ましく、５ｍｍ以下がより好ましい、前記＜１＞〜＜２４＞の何れか１に記載の吸収性物品。
＜２６＞
前記表面シートは、肌対向面の平均摩擦係数ＭＩＵが、０．２５以下であることが好ましく、０．２以下であることがより好ましく、肌対向面の平均摩擦係数ＭＩＵの下限値としては、０．０５以上であることが好ましい、前記＜１＞〜＜２５＞の何れか１に記載の吸収性物品。
＜２７＞
前記表面シートは、肌対向面の摩擦係数の平均偏差ＭＭＤが０．０１以下であることが好ましく、０．００８以下であることがより好ましく、摩擦係数の平均偏差ＭＭＤの下限値としては、０．００３以上であることが好ましい、前記＜１＞〜＜２６＞の何れか１に記載の吸収性物品。
＜２８＞
前記表面シートは、その微小荷重時の圧縮特性値が、７．０（（ｇｆ／ｃｍ2）／ｍｍ）以下であることが好ましく、５．０（（ｇｆ／ｃｍ2）／ｍｍ）以下であることがより好ましく、下限としては、１．０（（ｇｆ／ｃｍ2）／ｍｍ）以上であることが好ましい、前記＜１＞〜＜２７＞の何れか１に記載の吸収性物品。
＜２９＞
前記表面シートの肌対向面側の繊維の繊維密度が該表面シートの非肌対向面側の繊維の繊維密度よりも低く、該表面シートの非肌対向面側の繊維の繊維密度が前記中間シートの非肌対向面側の繊維の繊維密度よりも低い、前記＜１＞〜＜２８＞の何れか１に記載の吸収性物品。
＜３０＞
前記中間シートの肌対向面を構成する繊維の接触角が該中間シートの非肌対向面を構成する繊維の接触角よりも高く、前記表面シートの非肌対向面を構成する繊維の接触角が該中間シートの肌対向面を構成する繊維の接触角よりも高く、該表面シートの肌対向面を構成する繊維の接触角が該表面シートの非肌対向面を構成する繊維の接触角よりも高い、前記＜１＞〜＜２９＞の何れか１に記載の吸収性物品。
【実施例】
【００５８】
以下、本発明を実施例を用いて更に詳細に説明するが、本発明は、斯かる実施例によって何ら限定されるものではない。
【００５９】
〔実施例１〕
図３に示す表面シート２及び中間シート５を備える図１及び図２に示すおむつ１と同様の構成を有する使い捨ておむつを製造した。表面シートとしては、気流にのせたポリエチレン樹脂を含む繊維をネット上に落下堆積させることによりウエブを形成し、速度１００ｍ／ｓで移動するネット上のウエブに対して該ネット面側と反対側から１３５℃の空気を風速１ｍ／ｓで貫通させて製造したエアスルー不織布をピンの突き刺しにより開孔したシートを用いた。また、中間シートとしては、気流にのせたポリエチレン樹脂を含む繊維をネット上に落下堆積させることによりウエブを形成し、速度８０ｍ／ｓで移動するネット上のウエブに対して該ネット面側と反対側から１３１℃の空気を風速１．５ｍ／ｓで貫通させて製造したエアスルー不織布を用い、製造されたエアスルー不織布のネット側の面を非肌対向面側に用いた。表面シート及び中間シートの物性等については、下記の表１に示した。
平均摩擦係数ＭＩＵ、摩擦係数の平均偏差ＭＭＤ、微小荷重時の圧縮特性値、繊維密度及び繊維の接触角は、上述した測定方法と同様の方法にて測定した。
【００６０】
〔実施例２〕
肌対向面の繊維の接触角が非肌対向面の繊維の接触角よりも高く、且つ全体の坪量が表面シートの坪量よりも高い中間シートであって、下記の表１に示す物性の中間シートを用いたこと以外は、実施例１と同様の構成の使い捨ておむつを製造した。
【００６１】
〔比較例１〕
肌対向面の平均摩擦係数ＭＩＵが０．２５より大きく且つ表面シートの平均摩擦係数ＭＩＵに対する平均摩擦係数ＭＩＵの割合が１１０％より大きく、肌対向面側の繊維密度が非肌対向面側の繊維密度よりも高く、肌対向面の繊維の接触角が非肌対向面の繊維の接触角よりも低い中間シートであって、下記の表１に示す物性の中間シートを用い、更に、微小荷重時の圧縮特性値が７（ｇｆ／ｃｍ2）／ｍｍより大きい表面シートであって、下記の表１に示す物性の表面シートを用いたこと以外は、実施例１の使い捨ておむつと同様の構成の使い捨ておむつを製造した。表面シートとしては、気流にのせたポリエチレン樹脂を含む繊維をネット上に落下堆積させることによりウエブを形成し、速度１００ｍ／ｓで移動するネット上のウエブに対して該ネット面側と反対側から１３１℃の空気を風速２ｍ／ｓで貫通させて製造したエアスルー不織布を用いた。また、中間シートとしては、気流にのせたポリエチレン樹脂を含む繊維をネット上に落下堆積させることによりウエブを形成し、速度５０ｍ／ｓ移動するネット上のウエブに対して該ネット面側と反対側から１３１℃の空気を風速１ｍ／ｓ貫通させて製造したエアスルー不織布を用いた。
【００６２】
〔風合いの評価〕
実施例１、実施例２及び比較例１の使い捨ておむつの肌対向面について、２０人の女性をモニターにして風合いの評価試験を行った。風合いの評価試験の項目としては、表面シート２の開孔２ｈと中間シート５とが重なる部分の柔らかさ、滑らかさ及び肌触りが挙げられ、各項目について以下の評価基準で点付けし、各項目の平均点を算出した。そして、各項目の平均点から、全体の平均点を更に算出し、該平均点を風合いの評価とした。結果を表１に示す。
５点：良い
４点：やや良い
３点：ふつう
２点：やや悪い
１点：悪い
【００６３】
〔軟便ＷＢ量の評価〕
実施例１、実施例２及び比較例１の使い捨ておむつについて、該おむつを平面状に広げて肌対向面側（表面シート２側）が上を向くように水平に載置し、該おむつの縦方向Ｘ中心Ｃから後方に３０ｍｍ離間した部位（図１の便排泄部対向部２Ｒに相当する部位）に対し、疑似軟便１０ｇを定量ポンプで流速６ｇ／秒で一度に注入した後、その注入位置に非透水性の樹脂製フィルムを重ね、さらに該樹脂製フィルム上に錘を載置することで注入位置に３ｋＰａの加圧を１分間行った。この「３ｋＰａ」という圧力は、おむつ１の着用中の低月齢児が仰向けに寝ている場合に、そのおむつ１の背側部１Ｒにかかる圧力（耐圧）を想定したものである。また、使用した疑似軟便は、ベントナイトを水に溶解又は分散させて調製した懸濁液であり、粘度４０ｍＰａ・ｓ、ベントナイト濃度１５質量％であった。加圧処理後、錘及び樹脂製フィルムを取り除きフィルムに付着した疑似軟便の重量を測定した。測定対象のおむつ１個につき、測定サンプルを３個用意してそれぞれについて以上の測定を行い、それらの測定値の平均値を当該おむつ１の軟便ＷＢ量（ｇ）とした。軟便ＷＢ量（ｇ）が小さいほど、軟便の吸収性に優れ、高評価となる。結果を表１に示す。
【００６４】
【表１】
2019097607.tif 000003
【００６５】
表１に示すように、実施例１〜２の使い捨ておむつの風合いの評価と比較例１の使い捨ておむつの風合いの評価とを比較すると、実施例１〜２の使い捨ておむつは、比較例１の使い捨ておむつに比べ、肌当接面の風合いが何れも良いことが分かった。
また、実施例１〜２の使い捨ておむつの軟便ＷＢ量（ｇ）と比較例１の軟便ＷＢ量（ｇ）とを比較すると、実施例１〜２の使い捨ておむつは、比較例１の使い捨ておむつに比べ、軟便ＷＢ量が低いことが分かった。
このことから、実施例１〜２の使い捨ておむつは、比較例１の使い捨ておむつに比べ、該おむつを着用したときの風合いを損ねることなく、軟便等の排泄物の捕集性を高めることができ、着用者の肌トラブルの発生を低減できることが期待できる。
【符号の説明】
【００６６】
１  使い捨ておむつ
２  表面シート
２Ｒ  便排泄部対向部
２ｈ  開孔
３  裏面シート
４  吸収体
４０  吸収性コア
４１  コアラップシート
５  中間シート
５１  高密度層
５２  低密度層
Ｘ  縦方向
Ｙ  横方向
【図１】
2019097607.tif 000004
【図２】
2019097607.tif 000005
【図３】
2019097607.tif 000006